【手続補正書】
【提出日】平成21年9月9日(2009.9.9)
【手続補正１】
【補正対象書類名】明細書
【補正対象項目名】特許請求の範囲
【補正方法】変更
【補正の内容】
【特許請求の範囲】
【請求項１】  少なくとも結着樹脂成分及び酸化鉄を含有しているトナー粒子を有する磁性トナーにおいて、
i）Ｘ線光電子分光分析により測定される前記トナー粒子表面に存在する炭素元素の含有
量（Ａ）に対する鉄元素の含有量（Ｂ）の比（Ｂ／Ａ）が0.001未満であり、
ii)前記磁性トナーの投影面積相当径をＣとし、透過型電子顕微鏡（ＴＥＭ）を用いた磁
性トナーの断面観察における酸化鉄粒子表面とトナー粒子表面との距離の最小値をＤとしたとき、Ｄ／Ｃ≦0.02の関係を満足する磁性トナーが50個数％以上であり、
iii）該磁性トナーの平均円形度が0.970以上であり、
iv）磁性トナーのＴＨＦ可溶分のゲルパーミエーションクロマトグラフィー（ＧＰＣ）により測定した分子量分布において、分子量5000〜50000の範囲にメインピークのピークト
ップがあり、下記式（１）より算出されるＸが1.4以下であり、
【数１】
2002202629.tif 000001
V）無機微粉体をトナー粒子表面に有することを特徴とする磁性トナー。
【請求項２】  前記磁性トナーのＴＨＦ可溶分のＧＰＣにより測定した分子量分布において、結着樹脂成分に由来する可溶成分の全面積に対して分子量30万以上の成分が20面積％未満、分子量2000〜5000の成分は15面積％未満であることを特徴とする請求項１に記載の磁性トナー。
【請求項３】  前記結着樹脂成分は、スチレンモノマーを少なくとも含む単量体を有機系過酸化物を用いて重合させて得られる重合体を少なくとも含有することを特徴とする請求項１又は２に記載の磁性トナー。
【請求項４】  前記結着樹脂成分は、連鎖移動剤が存在する状態で単量体をラジカル重合することにより得られた重合体を含むことを特徴とする請求項１〜３のいずれか一項に記載の磁性トナー。
【請求項５】  前記トナー粒子は、単量体、架橋剤、疎水化処理された酸化鉄、ワックス成分、連鎖移動剤を少なくとも含有する単量体組成物を水系媒体中で重合開始剤を用いて懸濁重合することにより得られたトナー粒子であることを特徴とする請求項１〜４の
いずれか一項に記載の磁性トナー。
【請求項６】  帯電部材に電圧を印加し、像担持体を帯電させる帯電工程と、
帯電された像担持体に、静電潜像を形成させる静電潜像形成工程と、
前記静電潜像を表面に保持する像担持体と、磁性トナーを表面に担持するトナー担持体とを対向して配置することにより現像領域を形成し、該現像領域において前記磁性トナーを前記静電潜像に転移させてトナー像を像担持体上に形成する現像工程と、
像担持体上に形成されたトナー像を転写材に静電転写させる転写工程とを有し、像担持体上に繰り返して作像が行われる画像形成方法において、
前記磁性トナーは、請求項１〜５のいずれか一項に記載の磁性トナーであることを特徴とする画像形成方法。
【請求項７】  像担持体上に形成された静電潜像にトナーを転移させて可視化してトナー像を形成し、該トナー像を転写材に転写することにより画像を形成する画像形成装置から着脱可能に構成されているプロセスカートリッジであって、
該プロセスカートリッジは、像担持体と、前記像担持体を所定の電位に帯電させる帯電手段と、トナーを有し、前記像担持体上に形成された静電潜像にトナーを転移させて可視化し、トナー像を形成する現像手段とを有し、
前記トナーは、請求項１〜５のいずれか一項に記載の磁性トナーであることを特徴とするプロセスカートリッジ。
【手続補正２】
【補正対象書類名】明細書
【補正対象項目名】００４２
【補正方法】変更
【補正の内容】
【００４２】
【課題を解決するための手段】本発明は、少なくとも結着樹脂成分及び酸化鉄を含有しているトナー粒子を有する磁性トナーにおいて、i）Ｘ線光電子分光分析により測定される
前記トナー粒子表面に存在する炭素元素の含有量（Ａ）に対する鉄元素の含有量（Ｂ）の比（Ｂ／Ａ）が0.001未満であり、ii)前記磁性トナーの投影面積相当径をＣとし、透過型電子顕微鏡（ＴＥＭ）を用いた磁性トナーの断面観察における酸化鉄粒子表面とトナー粒子表面との距離の最小値をＤとしたとき、Ｄ／Ｃ≦0.02の関係を満足する磁性トナーが50個数％以上であり、iii）該磁性トナーの平均円形度が0.970以上であり、iv）磁性トナーのＴＨＦ可溶分のゲルパーミエーションクロマトグラフィー（ＧＰＣ）により測定した分子量分布において、分子量5000〜50000の範囲にメインピークのピークトップがあり、下
記式（１）より算出されるＸが1.4以下であり、
【手続補正３】
【補正対象書類名】明細書
【補正対象項目名】０２０１
【補正方法】変更
【補正の内容】
【０２０１】
次に、この含水サンプルを乾燥せずに別の水系媒体中に再分散させた後、再分散液のｐＨを約６に調製し、十分攪拌しながらシランカップリング剤（ｎ−Ｃ10Ｈ21Ｓｉ（ＯＣＨ3 ）3）を磁性酸化鉄100部に対し1.6部（磁性酸化鉄の量は含水サンプルから含水量を引い
た値として計算した）添加し、カップリング処理を行った。生成した疎水性酸化鉄粒子を常法により洗浄、濾過、乾燥し、次いで若干凝集している粒子を解砕処理して、表面処理酸化鉄１を得た。尚、表面処理酸化鉄１の体積平均粒径は0.18μmであった。
（表面処理酸化鉄３の製造）
表面処理酸化鉄１の製造に於いて、シランカップリング剤の添加量を0.7部とする以外は
同様にして表面処理酸化鉄３を得た。
（表面処理酸化鉄４の製造）
表面処理酸化鉄１の製造に於いて、シランカップリング剤の添加量を0.3部とする以外は
同様にして表面処理酸化鉄４を得た。
（表面処理酸化鉄５の製造）
攪拌機、不活性ガス導入管、還流冷却管および温度計を備えてなるフラスコにポリビニルアルコール（ＰＶＡ−２０５、クラレ（株）製）0.1部を溶解した脱イオン水200部を仕込んだ。そこへ予め調整しておいたスチレン97.5部およびグリシジルメタクリレート2.5
部からなる重合性単量体にベンゾイルパーオキサイド8部を溶解した混合物を仕込み、高
速で攪拌して均一な懸濁液とした。次いで窒素ガスを吹き込みながら80℃に加熱し、この温度で５時間攪拌を続けて重合反応を行った。その後に濾過、水洗、乾燥を行って、エポキシ基を含有する樹脂を得た。
【手続補正４】
【補正対象書類名】明細書
【補正対象項目名】０２０７
【補正方法】変更
【補正の内容】
【０２０７】
【表１】
2002202629.tif 000002
【手続補正５】
【補正対象書類名】明細書
【補正対象項目名】０２０８
【補正方法】変更
【補正の内容】
【０２０８】
【表２】
2002202629.tif 000003
（磁性トナーＣの製造）
表面処理酸化鉄１の代わりに表面処理酸化鉄３を使用する以外は磁性トナーＡの製造と
同様にして磁性トナーＣを調製した。磁性トナーＣの物性を表２に示す。
（磁性トナーＤの製造）
ジビニルベンゼンの代わりに不飽和ポリエステル樹脂（フマル酸／ビスフェノールＡ−ＰＯ付加体との縮合物、Mp10000、Ｔｇ65℃、酸価12mgＫＯＨ/g）2.3部を使用した以外は磁性トナーＡの製造と同様にして磁性トナーＤを調製した。磁性トナーＤの物性を表２に示す。尚、このトナー粒子についてＴＨＦ不溶分を測定したところ、結着樹脂成分を基準として35％であった。
（磁性トナーＥの製造）
α−メチルスチレンダイマーの代わりにｔ-ドデシルメルカプタンを2部添加した以外は磁性トナーＡの製造と同様にして磁性トナーＥを調製した。磁性トナーＥの物性を表２に示す。尚、このトナー粒子についてＴＨＦ不溶分を測定したところ、結着樹脂成分を基準として20％であった。
（磁性トナーＦの製造）
ベンゾイルパーオキサイドの代わりにｔ−ブチルパーオキシ−２−エチルヘキサノエートを使用した以外は磁性トナーＡの製造と同様にして磁性トナーＦを調製した。磁性トナーＦの物性を表２に示す。尚、このトナー粒子についてＴＨＦ不溶分を測定したところ、結着樹脂成分を基準として30％であった。
（磁性トナーＧの製造）
磁性トナーＡの製造で製造したトナー粒子100部と、ヘキサメチルジシラザン処理した
個数一次平均粒径10nmの疎水性シリカ微粉体1.5部とをヘンシェルミキサーで混合して、
磁性トナーＧを調製した。磁性トナーＧの物性を表２に示す。
（磁性トナーＨの製造）
エステルワックスの使用量を51部とする以外は磁性トナーＡの製造と同様にして、磁性トナーＨを得た。磁性トナーＨの物性を表２に示す。
（磁性トナーＩの製造）
エステルワックスの使用量を0.4部とする以外は磁性トナーＡの製造と同様にして、磁
性トナーＩを得た。磁性トナーＩの物性を表２に示す。
（磁性トナーＪの製造）
エステルワックスに代えてＤＳＣにおける吸熱ピーク温度が112℃の低分子量ポリエチ
レンワックスを12部用いる以外は磁性トナーＡの製造と同様にして、磁性トナーＪを得た。磁性トナーＪの物性を表２に示す。
（磁性トナーＫの製造）
表面処理酸化鉄１の代わりに表面処理酸化鉄４を使用する以外は磁性トナーＡの製造と同様にして、比較用磁性トナーＫを得た。比較用磁性トナーＫの物性を表２に示す。
（磁性トナーＬの製造）
表面処理酸化鉄１の代わりに表面処理酸化鉄５を120部使用する以外は磁性トナーＡの
製造と同様にして、比較用磁性トナーＬを得た。比較用磁性トナーＬの物性を表２に示す。
【手続補正６】
【補正対象書類名】明細書
【補正対象項目名】０２２５
【補正方法】変更
【補正の内容】
【０２２５】
【表３】
2002202629.tif 000004